(57)【要約】【課題】リアルタイムで全面シェーディングが行え、必要なときに最新の補正状態に復帰することができ、また、製造時の状態から経時変動を監視するを可能とする。【解決手段】重み算出部１０３４は注目画素の位置情報（座標値）から格子内での相対座標を入力して前記格子点値に乗じる重み係数（ｗｉ）を算出する。積和部１０３５では格子点値と対応する重み係数を乗じて、注目画素と同じ位置に対応する補正値を推定する。この推定値を入力として補正テーブル１０３６では注目画素の補正に必要な補正係数を出力し、補正演算部１０３７で注目画素に前記補正係数を乗じて注目画素を補正し、補正画素を得る。得られた補正画素は全面補正されており、原稿読み取り位置に依存する偏りのない画像データが得られる。【選択図】　　　　図３
2004120034.tif 000002
【特許請求の範囲】
【請求項１】
画像を光学的に読み取って画像データに変換する光電変換手段と、変換された画像データの読み取り位置による濃度偏りを補正する補正手段とを備えた画像読み取り装置において、
予め読み取った補正時に使う画像データを格納する第１の格納部と、第１の格納手段に格納された画像データをバックアップするデータを格納する第２の格納部と、製造時に読み取った画像データを格納する第３の格納部とを含む納手段と、
前記画像データから注目画素の濃度補正値を推定する推定手段と、
前記推定手段の出力に基づいて画像の濃度を補正するための係数を格納する補正係数格納手段と、
前記補正係数格納手段に格納された補正係数を読み出して補正演算を行う補正演算手段と、
を備え、前記補正演算手段が、前記補正値格納手段に格納された補正値に基づいて注目画素の濃度を補正することを特徴とする画像読み取り装置。
【請求項２】
前記補正演算手段は、前記注目画素を内部に含む格子点値と対応する重み係数を乗じて、前記注目画素と同じ位置に対応する補正値を推定し、この推定値を入力として前記補正係数格納手段で前記注目画素の補正に必要な補正係数を出力し、前記補正演算手段で前記注目画素の濃度に前記補正係数を乗じて注目画素の濃度を全面にわたって補正することを特徴とする請求項１記載の画像読み取り装置。
【請求項３】
前記補正演算手段は、前記注目画素の位置情報と、前記補正係数格納手段に格納された係数と、変倍情報とから変倍後のアドレスを生成するアドレズ生成手段を含むことを特徴とする請求項１または２記載の画像読み取り装置。
【請求項４】
請求項１ないし３のいずれか１項に記載の画像読み取り装置と、
前記画像読み取り装置によって読み取れられた画像情報に基づいて画像を形成する画像形成手段と、
からなる画像形成装置。
【発明の詳細な説明】
【０００１】
【発明の属する技術分野】
本発明はシェーディング補正に特徴のある画像読み取り装置及び当該画像読み取り装置を備えた画像形成装置に関する。
【０００２】
【従来の技術】
この種の技術として、例えば特公平６−８１２５２号公報、特開２０００−９９７１０号公報及び特開２００１−２２３８６２号公報等に開示された発明が公知である。
【０００３】
このうち特公平６−８１２５２号公報には、ラインセンサを用い光学系が走行する形式の画像読み取り装置が開示されている。また、特開２０００−９９７１０号公報には、走査に従って読み取るデータを、主走査方向の全画素について、副走査方向に一定ライン分を平均化し、走査に従って一定間隔で記憶するようにした発明が開示されている。さらに、特開２００１−２２３８６２号公報には、注目画素が存在するブロック及びその周囲の複数のブロックに設定されている第２のシェーディング補正値を、各ブロックの中央に位置している代表画素に対する第２のシェーディング補正値であるとみなし、各部ロックの第２のシェーディング補正値に対して代表画素と注目画素が大きくなるに従って重みが小さくなるように重みを設定し、各部ロックの第２シェーディング補正値から補間演算によって注目画素の第２のシェーディング補正値を求めることが開示されている。
【０００４】
【特許文献１】
特公平６−８１２５２号公報
【０００５】
【特許文献２】
特開２０００−９９７１０号公報
【０００６】
【特許文献３】
特開２００１−２２３８６２号公報
【０００７】
【発明が解決しようとする課題】
しかし、前記特公平６−８１２５２号公報開示の発明では、主走査方向のシェーディング補正のみで、副走査方向のシェーデイングに対処することはできなかった。また、特開２０００−９９７１０号公報及び特開２００１−２２３８６２号公報開示の発明では、副走査方向のシェーディング補正にも対処しているが、経時的変化には対応できているといえるものではなかった。
【０００８】
そこで、本発明の目的は、リアルタイムで全面シェーディングが行え、必要なときに最新の補正状態に復帰することができ、また、製造時の状態から経時変動を監視することが可能な画像読み取り装置及び画像形成装置を提供することにある。
【０００９】
また、他の目的は、任意の倍率で全面補正可能な画像読み取り装置及び画像形成装置を提供することにある。
【００１０】
【課題を解決するための手段】
前記目的を達成するため、第１の手段は、画像を光学的に読み取って画像データに変換する光電変換手段を備え、変換された画像データの読み取り位置による濃度偏りを補正する画像読み取り装置において、予め読み取った補正時に使う画像データを格納する第１の格納部と、第１の格納手段に格納された画像データをバックアップするデータを格納する第２の格納部と、製造時に読み取った画像データを格納する第３の格納部とを含む納手段と、前記画像データから注目画素の濃度補正値を推定する推定手段と、前記推定手段の出力に基づいて画像の濃度を補正するための係数を格納する補正係数格納手段と、前記補正係数格納手段に格納された補正係数を読み出して補正演算を行う補正演算手段とを備え、前記補正演算手段が、前記補正値格納手段に格納された補正値に基づいて注目画素の濃度を補正することを特徴とする。
【００１１】
第１の手段では、経時的変化があっても、第２の格納部に格納されている画像データを使用して最新の補正状態に必要な時に復帰できる。また、第３の格納部に格納された、製造時の読み取りデータに基づいて、初期状態を参照して経時変動を監視し、第１の格納部に格納されている基準原稿の読み取り値から、注目画素の補正係数を算出して注目画素の濃度補正を行うことができる。
【００１２】
第２の手段は、第１の手段において、前記補正演算手段は、前記注目画素を内部に含む格子点値と対応する重み係数を乗じて、前記注目画素と同じ位置に対応する補正値を推定し、この推定値を入力として前記補正係数格納手段で前記注目画素の補正に必要な補正係数を出力し、前記補正演算手段で前記注目画素の濃度に前記補正係数を乗じて注目画素の濃度を全面にわたって補正することを特徴とする。
【００１３】
第２の手段では、補正値を推定することにより、全面にわたって補正値を得ることができる。
【００１４】
第３の手段は、第１または第２の手段において、前記補正演算手段は、前記注目画素の位置情報と、前記補正係数格納手段に格納された係数と、変倍情報とから変倍後のアドレスを生成するアドレス生成手段を含むことを特徴とする。
【００１５】
第３の手段では、変倍がある場合には、補間により注目画素の濃度補正が可能になる。
【００１６】
第４の手段は、第１ないし第３の手段に係る画像読み取り装置と、前記画像読み取り装置によって読み取れられた画像情報に基づいて画像を形成する画像形成手段とから画像形成装置を構成したことを特徴とする。
【００１７】
なお、下記の実施形態において、第１の格納部は現行テーブル１０３３に、第２の格納部はバックアップテーブル１０３２に、第２の格納部は原子テーブル１０３１にそれぞれ対応し、また、推定手段は積和部１０３５に、補正係数格納手段は補正テーブル１０３６に、補正演算手段は補正演算部１０３７に、アドレス生成手段はアドレス生成部１０３７ａにそれぞれ対応する。
【００１８】
【発明の実施の形態】
以下、図面を参照し、本発明の実施形態について説明する。
【００１９】
図１はシートドキュメントフィーダ（ＳＦＤ）を備えた画像読み取り装置の機械的構成の一例を示す図で、同図において、この図では、画像形成装置を構成するプリンタＰＲの上部に載置された状態を示している。
【００２０】
本実施形態における画像読み取り装置としてのスキャナ１３は、読み取り部１２と、この読み取り部１２の上部に取り付けられたＳＤＦ（シート・ドキュメントフィーダ）２０とからなる。
【００２１】
読み取り部１２には、原稿台として原稿を載置するコンタクトガラス１と、原稿露光用の照明ランプ２と第１反射ミラー３とからなる第１キャリッジ６と、第２反射ミラー４及び第３反射ミラー５からなる第２キャリッジ７と、ＣＣＤリニアイメージセンサ９（以後ＣＣＤ）に結像するためのレンズユニット８と、ＣＣＤ９を搭載するセンサボード１０と、読み取り光学系等による各種の歪みを補正するための白基準板１１とから構成される。コンタクトガラス１に原稿を載置固定して読み取る場合には、第１キャリッジ６が一定の速度で往動（矢印Ａ方向）し、かつ、第２キャリッジ７が第１キャリッジ６の１／２の速度で第１キャリッジ６に追従して往動することにより、光路長が変化することなくコンタクトガラス１上の原稿が光学的に走査される。原稿の読み取り終了後、第１キャリッジ６及び第２キャリッジ７は、ホームポジションに復動する。図１で示す位置が、第１キャリッジ６及び第２キャリッジ７のホームポジションである。なお、読み取り部１２には、第１キャリッジ６及び第２キャリッジ７を移動させるために図示しないモータ駆動系も設けられている。
【００２２】
ＳＤＦ２０では、原稿トレイ２１上に積載された原稿２２は、ピックアップローラ２３によって分離部へ送られ、分離部においてフィードローラ２４と分離ローラ２５により１枚ずつ分離されて搬送される。その後、原稿は、フィードローラとしての搬送ドラム２６とこの搬送ドラム２６の周囲に配置されて搬送ドラム２６側に押圧された複数の従動コロ２７により搬送される。搬送された原稿は、読み取り位置（前記ホームポジション）Ｙに達すると、所定のタイミングで照明ランプ２により下面の原稿面側が照射され、その反射光が第１反射ミラー３と第２反射ミラー４、第３反射ミラー５により前記動作と同様にＣＣＤ９に結像されて光電変換される。原稿は、搬送ドラム２６及び従動コロ２７によって、図１の右側へ搬送され、ＣＣＤ９に入光する反射光は原稿の副走査方向に走査される。画像情報が読み取られた原稿は、排紙ローラ対２８により排紙トレイ２９上に排出される。
【００２３】
このように構成されたスキャナ１３は前述のように画像形成装置としてのプリンタＰＲの例えば上部に配置され、ＣＣＤ９で読み取られ、センサボード１０上に集積された画像処理回路によって必要な画像処理が施され、プリンタＰＲの書き込みユニット側に印刷に必要が画像データが出力され、後述のＬＤによって光書き込みが行われ、記録媒体に可視画像が形成される。プリンタＰＲは、電子写真方式の公知の画像形成プロセスによって画像形成するものなので、ここでは、詳細な説明は図面も含め省略する。
【００２４】
図２は、画像読み取り装置の全体的な制御構成を示す機能ブロック図である。同図において、画像読み取り装置は、読み取りセンサ１０１、シェーディング補正部１０２、全面補正部１０３、画像処理部１０４、書き込み処理部１０５及び制御部１０６から基本的に構成されている。
【００２５】
読み取りセンサ１０１は前記ＣＣＤ９に対応し、原稿を読み取りセンサ１０１で読み取り、Ａ／Ｄ変換してディジタルデータを得る。良く知られているように、濃度一定の原稿を読み取ったとしてもその読取位置によってデータの濃度に偏り（シェーディング）があり、本来のデータに補正する必要がある。一般にこの補正をシェーディング補正と称している。通常、原稿を読み取る読み取り位置の前に基準白板１１を置き、この基準白板読み取った後、原稿を読み取ったデータを補正して均一になるような補正係数を算出する。このシェーディング補正部１０２では、ラインセンサと同じ方向つまり主走査方向のみ扱い，原稿を読み取った時には主走査方向の位置情報から補正係数を読み出し、読み取ったデータに補正係数を乗じて読取値を補正する。
【００２６】
全面補正部１０３は上記シェーデイング補正後に原稿を読取りながら原稿の位置に応じた読取りデータの偏りを補正するもので、詳細は後述する。全面補正されたデータはアプリケーションに応じて変換される。例えば、図２に示したような複写機の場合には、フィルタ処理、色補正処理、変倍処理、ガンマ変換、階調処理などの画像書き込みに必要な画像処理が画像処理部１０４で実行され、書き込み処理部１０５へと送られる。スキャナアプリケーションの場合には画像処理部１０４で全面補正された画像データを適当な色変換、フィルタ処理をかけた後出力され、必要に応じて保管される。制御部１０６は前記各部１０１−１０５の制御及び全体の制御を司る。
【００２７】
図３は全面補正部１０３の構成を示すブロック図である。全面補正の基本的な考え方は、前述の主走査方向シェーディング補正と同じ方法を副走査方向に拡張したものである。補正演算は基準の白色を読み取った値Ｖを目標値Ｖｔになるように補正係数ｍを決めることで、
Ｖｔ＝Ｖ＊ｍ
すなわち、
ｍ＝Ｖｔ／Ｖ
を算出してこれを補正値とするものであるが、副走査方向も同様に基準となるものを読み取り、目標値と比較しながら補正演算を行う。
【００２８】
全面補正部１０３は、原始テーブル１０３１、バックアップテーブル１０３２、原稿テーブル１０３３、重み算出部１０３４、積和部１０３５、補正テーブル１０３６、補正演算部１０３７及びアドレス生成部１０３８からなる。
【００２９】
原始テーブル１０３１は画像読み取り装置を製造した時の読み取り特性値のサンプルデータを格納しておくもので、通常、工場で調整後に設定される。
【００３０】
バックアップテーブル１０３２は、全面補正時に使用する読み取り特性値のサンプルデータで現行テーブル１０３３に格納されるものと同じデータが入れられている。これは原始テーブル１０３１と同様不揮発性のメモリからなり、必要に応じて現行テーブル１０３３に内容がコピーされる。例えばパワーオン時に現行テーブル１０３３の内容が不定であるため設定したり、現行テーブル１０３３の内容を更新する時に異常値が検出され、元に戻す場合に使われる。一方、原始テーブル１０３１は、通常、書き換え，更新を行なわず参照、比較用に使われる。
【００３１】
現行テーブル１０３３は補正対象となる注目画素の位置情報（座標値）から、注目画素を囲む４点の格子座標（Ｓｉ）を入力して、４点の格子に対応する補正用の読み取り値（格子点値）を取り出す（図３参照）。また重み算出部１０３４は注目画素の位置情報（座標値）から格子内での相対座標を入力して前記格子点値に乗じる重み係数（ｗｉ）を算出する。
【００３２】
積和部１０３５では格子点値と対応する重み係数を乗じて、注目画素と同じ位置に対応する補正値を推定する。この推定値を入力として補正テーブル１０３６では注目画素の補正に必要な補正係数を出力し、補正演算部１０３７で注目画素に前記補正係数を乗じて注目画素を補正し、補正画素を得る。得られた補正画素は全面補正されており、原稿読み取り位置に依存する偏りのない画像データが得られる。
【００３３】
図４は格子点と注目画素の位置関係を示す説明図である。全面補正のためにはあらかじめ基準となる濃度均一な原稿、基準白板、白紙を用意してその値を読み取っておく。全画素のデータを格納することもそれに見合う容量のメモリが用意できれば可能であるが、本実施形態では全面データからサンプリングしてそれを格納し、サンプリングの隙間にある画素は周囲のサンプリング値から推定するようにしている。以下、この例について説明する。サンプリング位置は主走査、副走査それぞれ適当な間隔を設けた格子点とする。図４の例では格子間隔が主走査Ｕ画素、副走査Ｖ画素として説明している。
【００３４】
現行テーブル１０３３に均一濃度の原稿を読み取った時のデータが格納されているときに、注目画素の位置に対応する均一濃度の原稿の読み取り値を推定する場合には、図４に示すように４つの格子点Ｓ１、Ｓ２、Ｓ３、Ｓ４に囲まれた注目画素位置Ｐの格子内での相対位置座標は（ｕ，ｖ）で表され、Ｓ１を原点として、注目画素の絶対座標から簡単に計算できる。注目画素の推定値はその位置に近い格子点ほど寄与が大きいとして注目画素を通過する座標軸に平行な直線で格子を４つの矩形エリアで区切り、それぞれのエリアの面積を対角に位置する格子点の値に乗ずる重み係数とする。これにより注目画素に対応する推定値を算出できる。
【００３５】
すなわち、この推定値は、図４に示すように、Ｐを注目画素、Ｓｉを（サンプル）格子点、ｗｉを格子点重み、ｕを主走査方向の格子内座標、ｖを副走査方向の格子内座標、Ｕを格子幅、Ｖを格子高としたときに、
Ｓｕｖ＝ｗ１＊Ｓ１＋ｗ２＊Ｓ２＋ｗ３＊ｓ３＋ｗ４＊Ｓ４
ｗ４＝ｖ＊ｕ
ｗ３＝ｖ＊（Ｕ−ｕ）
ｗ２＝（Ｖーｖ）＊ｕ
ｗ１＝（Ｖ−ｖ）＊（Ｕーｕ）
として算出される。
【００３６】
補正テーブル１０３６は上記推定値を入力して、注目画素の補正乗数を出力する。その値は全格子点の平均値を基準値にして、推定値を正規化する。図５には前記補正乗数の例を示す図である。この図５に示した例の場合には全格子点の平均値が１９２として算出してある。この図５に示した例では、補正乗数は２５６で正規化してあるため、注目画素に乗じた結果に対して２５６で除算すれば簡単に注目画素の補正が得られるようになっている。
【００３７】
全面補正は、現行テーブル１０３３に補正用の読み取り値がセットされている状態で、画像の読み取りが開始され、注目画素とその座標値が入力される。注目画素は補正演算部１０３６に入力され、座標値は格子座標と格子内座標に分けてそれぞれ現行テーブル１０３３及び重み算出部１０３４に入力される。そして、現行テーブル１０３３からは注目画素の周囲４格子点に対応する４個の補正読み取り値、すなわち格子点値が出力される。一方、重み算出部１０３４からは図４に示した４個の格子点主に係数が出力される。次いで、それぞれ４点の値を積和演算して衆目画素に対応する補正用の読み取り値を推定し、さらに、この推定値から補正係数を算出し、最後に補正演算部１０３７で注目画素に補正係数を乗じて補正画素値を出力する。このような演算処理を入力されてくる全画素について行うことにｙり、補正演算部１０３７から全面補正した出力が得られる。
【００３８】
アドレス生成部１０３８は注目画素の位置情報から前記格子点座標と格子点内座標を算出するもので、注目画素の座標を（ｘ，ｙ）、格子座標を（Ｓｘ，Ｓｙ）、格子内座標を（ｕ，ｖ）、格子間隔を主走査方向Ｕ，副走査方向をＶとしたときそれぞれの関係は、
ｘ＝Ｓｘ＊Ｕ＋ｕ
ｙ＝Ｓｙ＊Ｖ＋ｖ
のように表すことができる。実用的にはＵ，Ｖを２の累乗に設定すれば格子点座標、格子内座標を注目座標から簡単に切り出すことができる。なお、この実施形態では、主走査方向はｘ，ｕ記号、副走査方向はｙ，ｖ記号で表している。
【００３９】
全面補正するためにあらかじめ補正に必要なデータを各テーブルに格納しておく必要があり、以下のような動作モードで制御する。
【００４０】
▲１▼工場設定
図６は出荷前に工場で行うデータ格納処理の処理手順を示すフローチャートである。この処理では、読み取り装置を製造し、調整した後、その時の補正用に読み取ったデータを格納するもので、まず、主走査方向のシェーディング補正を行い（ステップＳ１０１）、全面をサンプリングして前述のようにして現行テーブル１０３３にシェーディング補正用のデータを格納する（ステップＳ１０２）。次いで、前記データを原始テーブル１０３１とバックアップテーブル１０３２に格納し（ステップＳ１０３，Ｓ１０４）、積和部１０３５で前述のように格子点値と重み計数とから注目画素と同じ位置に対応する補正値を推定し、この推定値を入力として注目画素の補正に必要な補正係数を算出し、補正値を補正値テーブル１０３６に格納する（ステップＳ１０５）。そして、原始テーブルフラグ、バックアップテーブルフラグ、現行テーブルフラグ、補正値テーブルフラグの各フラグをセットして（ステップＳ１０６）この処理を終了する。
【００４１】
▲２▼ユーザ設定
図７は出荷後、ユーザ側で必要に応じて補正用に読み取ったデータを格納するデータ格納処理の処理手順を示すフローチャートである。この処理では、まず、主走査方向のシェーディング補正を行い（ステップＳ２０１）、全面をサンプリングして前述のようにして現行テーブル１０３３にデータを格納する（ステップＳ２０２）。次いで、現行テーブル１０３３に格納したデータとバックアップテーブル１０３２に格納されている最新のデータと内容を比較し（ステップＳ２０３）、さらに、ステップＳ１０３で格納した製造時の原始テーブル１０３１の内容と比較する（ステップＳ２０４）。そして、積和部１０３５で前述のように格子点値と重み計数とから注目画素と同じ位置に対応する補正値を推定し、この推定値を入力として注目画素の補正に必要な補正係数を算出し、補正値を補正値テーブル１０３６に格納する（ステップＳ２０５）。その後、原始テーブルフラグ、バックアップテーブルフラグ、現行テーブルフラグ、補正値テーブルフラグの各フラグをセットし（ステップＳ２０６）、前記補正値テーブルに格納された補正値を参照して主走査方向のシェーディング補正を実行する（ステップＳ２０７）。
【００４２】
▲３▼全面補正時
図８は使用時に全面補正部１０３で実行する処理の処理手順を示すフローチャートである。この処理では、現行テーブル１０３３及び補正テーブル１０３６が有効であることを確認し（ステップＳ３０１）、変倍率に応じたアドレス生成パラメータを設定する（ステップＳ３０２）。
【００４３】
なお、本実施形態では、アドレス生成手段はパラメータによって制御可能であるが、ここでいう制御可能というのは以下のようなことを指している。すなわち、注目画素の座標値（ｘ，ｙ）、主走査倍率Ｍｘ、副走査倍率Ｍｙとすると、等倍で読み込んだ補正値との位置対応を付けるために、倍率補正を行う必要がある。そこで、補正アドレスを（Ｘ，Ｙ）とすると、
Ｘ＝ｘ／Ｍｘ
Ｙ＝ｙ／Ｍｙ
としてパラメータＭによって倍率に対応するアドレス変換が行えることになる。
【００４４】
▲４▼パワーオン処理
図９はパワーオン時にパワーオフで失われたメモリ上のデータを復帰させるための処理の処理手順を示すフローチャートである。この処理では、パワーオフ後にパワーオンされたときに不揮発性のメモリからなるバックアップテーブル１０３２から現行テーブル１０３３にデータをロードし（ステップＳ４０１）、図５を参照した述べたように補正値を算出し、補正テーブル１０３６にロードした（ステップＳ４０２）後、原始テーブルフラグ、バックアップテーブルフラグ、現行テーブルフラグ、補正値テーブルフラグの各フラグをセットして（ステップＳ４０３）シェーディング補正を行うことができる状態にする。
【００４５】
【発明の効果】
本発明によれば、前述のように構成されているので、最新の補正状態に必要な時に復帰でき、製造時の読み取りデータを持つことにより、初期状態を参照して経時変動を監視し、あらかじめ読みこんだ基準原稿の読み取り値から、注目画素の補正係数を算出し、読み取り原稿全面に対してリアルタイムで適正なシェーディング補正をおこなうことができる。
【００４６】
さらに、パラメータによる制御可能なアドレス生成手段により任意の倍率で全面補正できる。
【図面の簡単な説明】
【図１】本発明の実施形態に係る画像読み取り装置の機械的構成の概略を示す図である。
【図２】本発明の実施形態に係る画像読み取り装置の電気的構成の概略を示すブロック図である。
【図３】図２における全面補正部の構成を示すブロック図である。
【図４】図３の積和部で算出される注目画素とサンプル格子点との座標関係を示す図である。
【図５】図３の補正テーブルに格納された補正係数の例を示す図である。
【図６】出荷前に工場で行うデータ格納処理の処理手順を示すフローチャートである。
【図７】出荷後、ユーザ側で必要に応じて補正用に読み取ったデータを格納するデータ格納処理の処理手順を示すフローチャートである。
【図８】使用時に全面補正部で実行する処理の処理手順を示すフローチャートである。
【図９】パワーオン時にパワーオフで失われたメモリ上のデータを復帰させるための処理の処理手順を示すフローチャートである。
【符号の説明】
９，１０１　センサ（ＣＣＤ）
１０２　シェーディング補正部
１０３　全面補正部
１０３１　原始テーブル
１０３２　バックアップテーブル
１０３３　現行テーブル
１０３４　重み算出部
１０３５　積和部
１０３６　補正テーブル
１０３７　補正演算部
１０３８　アドレス生成部
１０４　画像処理部
１０５　書き込み処理部
１０６　制御部
【図１】
2004120034.tif 000003
【図２】
2004120034.tif 000004
【図３】
2004120034.tif 000005
【図４】
2004120034.tif 000006
【図５】
2004120034.tif 000007
【図６】
2004120034.tif 000008
【図７】
2004120034.tif 000009
【図８】
2004120034.tif 000010
【図９】
2004120034.tif 000011